(57)【要約】【課題】  河川や湖沼、池等の底面に堆積固着したヘドロを、ヘドロの巻き上げ等によって広い水域に汚染を生ずることなしに、高能率で安全に、しかも安価に浚渫できるようにする。【課題解決手段】  河川等のヘドロ層が堆積する区域の上方より水内へ、上方開口が上蓋により開閉されると共に下方が開口された掘削ケーシングを沈めてその下端部をヘドロ層内へ貫入させ、次に、掘削ケーシング内のヘドロ層を掘削して水中に分離分散させ、これに生分解性の凝集用薬剤を混合撹拌することにより掘削分離したヘドロを凝集させ、更に、当該へドロ凝集物を掘削ケーシング内から外部へ搬出したあと、前記掘削ケーシングを隣接する区域上へ移動させる。【選択図】      図１
2015203210.tif 000002
【特許請求の範囲】
【請求項１】
ヘドロ層が堆積する区域の上方より水内へ、上方開口が上蓋により開閉されると共に下方を開口とした掘削ケーシングを沈めてその下端部をヘドロ層内へ貫入させ、次に、掘削ケーシング内のヘドロ層を掘削して水中に分散させると共に生分解性の凝集用薬剤を攪拌混合することにより、前記掘削分離したヘドロを凝集させ、更に、当該ヘドロ凝集物を掘削ケーシング内から外部へ搬出したあと、前記掘削ケーシングを隣接する区域上へ移動するようにしたことを特徴とする区域閉鎖式ヘドロ浚渫工法。
【請求項２】
掘削ケーシングの外方に機械室を付設し、当該機械室に圧力水供給ポンプと凝集用薬剤タンクとポンプ加圧水内へ凝集用薬剤を混入するエジェクタ式混合器とを設けると共に、掘削ケーシングの胴部下方に圧力水噴射ノズルを設け、凝集用薬剤を混入した圧力水を前記圧力水噴射ノズルから掘削ケーシング内のヘドロ層内へ噴出することにより、ヘドロ層の掘削分離及び分離分散したヘドロと凝集用薬剤の撹拌混合を行うようにした請求項１に記載の区域閉鎖式ヘドロ浚渫工法。
【請求項３】
凝集用薬剤を、γ−ポリグルタミン酸を主体とする生分解性凝集剤とすると共に、掘削ケーシングの内容積１ｍ３に対して５〜１０００ｇｒの凝集剤を撹拌混合するようにした請求項１又は請求項２に記載の区域閉鎖式ヘドロ浚渫工法。
【請求項４】
凝集用薬剤を、γ−ポリグルタミン酸を主体とする生分解性の磁性凝集剤とすると共に、掘削ケーシングの内容積１ｍ３に対して５〜１０００ｇｒの凝集剤を撹拌混合するようにした請求項１又は請求項２に記載の区域閉鎖式ヘドロ浚渫工法。
【請求項５】
凝集したヘドロ凝集物を、掘削ケーシング内に配設したスクリューコンベア又は吸引ポンプに連結した吸引ホースを介して掘削ケーシング外へ搬出するようにした請求項１又は請求項２に記載の区域閉鎖式ヘドロ浚渫工法。
【請求項６】
掘削ケーシング内のヘドロ層を、掘削ケーシング内に配設したヘドロ掘削機により掘削分離するようにした請求項１に記載の区域閉鎖式ヘドロ浚渫工法。
【請求項７】
凝集用薬剤を磁性凝集剤とすると共に、凝集したヘドロ凝集物を、掘削ケーシング内に配設したスクリューコンベア又は磁性付与型スクリューコンベアにより掘削ケーシング外へ搬出するようにした請求項１又は請求項２に記載の区域閉鎖式ヘドロ浚渫工法。
【発明の詳細な説明】
【技術分野】
【０００１】
本発明は、河川、湖沼、池等の底面に堆積したヘドロの浚渫工法の改良に関するものであり、特に、ボートレース場や公園内の池等に於けるヘドロの浚渫時に生ずる水質汚染や悪臭の発生を有効に防止しつつ、高能率でヘドロを排出除去（浚渫）できるようにしたヘドロ浚渫工法に関するものである。
【背景技術】
【０００２】
汚染された河川や湖沼等の環境の回復には、水内の汚濁物質を除去して水質そのものの改善を図ること、及び川底等に堆積したヘドロを除去して臭気の発生や汚濁物質の水内への再拡散（再浮上）を防止することが、必要となる。
特に、後者の堆積したヘドロは、嫌気性下に存在するためメタンガスや悪臭を発生し、水中生物等に悪影響を与えるため、その除去が緊急の課題となっている。例えば、ボートレース場等に於いては、水の汚染によって夏期に悪臭が生じ、レースの開催自体が影響を受けると云う事態が生じている。
【０００３】
そのため、これ迄にも各種の河川等の浄化処理技術が開発され、実用に供されている。図５はその一例を示すものであり、小型船舶Ａに搭載した凝集用薬剤Ｂや薬剤混合・噴射装置Ｃ等から河川水内へ凝集用薬剤Ｂを噴出し、船舶Ａのスクリュー等により凝集用薬剤Ｂを水内へ撹拌混合すると共に、凝集剤Ｂの撹拌により凝集して水内に浮遊した汚濁物質（凝集ブロック）を、船舶Ａによりけん引したメッシュ状薄板体Ｄ１から成る回収具Ｄの外表面に付着させ、これによって水中に浮遊する凝集物（フロック）を回収するようにした河川等の水の浄化処理工法が開発され、実用に供されている（特開２００５−２０５２８１号、特開２００６−１４２１８３号等）。
【０００４】
上記図５に示した水の浄化工法では、水内に浮遊する汚濁物質を比較的効率よく除去することが出来る。
しかし、河川の底面等に堆積固着したヘドロ等の除去は困難であり、当該工法により堆積固着したヘドロ等を回収除去するためには、先ず、堆積したヘドロ等を掻き混ぜして水中に再浮遊させ、次に、これに凝集用薬剤Ｂを撹拌混合して浮遊したヘドロを凝集物（フロック）としたあと、この凝集物（フロック）を回収具Ｄにより回収する必要があり、作業能率や経済性の点からその実用化が極めて困難な状態にある。
【０００５】
そのため、現実には、河川床（河川底）に堆積固着したヘドロの除去は、従前から掘削機や掬取用バケット、ホッパ、吸引ポンプ等を備えた浚渫船（台船Ａ）を用いて施工されており、所謂掘削掬取り式の浚渫工法が一般に広く用いられている。
【０００６】
図６は，吸引ポンプを用いたこの種浚渫船Ａの一例を示すものであり、河川や湖沼等の浚渫を行う台船Ａに、水底に堆積した堆積土砂（ヘドロ）Ｅを吸引する吸引管Ｆを設け、該吸引管Ｆ先端の吸引口に上記堆積ヘドロＥの表面を覆う平板Ｇを設け、上記台船Ａを移動させながら上記平板Ｇの下面側の堆積ヘドロＥを吸引して浚渫するように構成されている。
【０００７】
同様に，図７は、河川底に堆積団結したヘドロＥ等の掘削除去に使用される浚渫装置Ｈの一例を示すものであり，台船Ａの先端部に浚渫装置ＨをラダーＩを介して上・下動自在に取り付け、掘削機Ｊにより掘削したヘドロＥをスクリューコンベアＫ、フレキシブル管Ｌ、排送管Ｍを通して搬出するようにしている。
【０００８】
しかし、上記図６や図７等の掘削掬取や掘削吸引式の浚渫装置を用いるヘドロ浚渫は、ヘドロの掘削掬取や掘削吸引時に水中へ巻き上がるヘドロにより、周辺水域が広範囲にまたって著しく汚染されることになり、特に貧酸素化による水中生物への悪影響が甚大になると云う基本的な問題が存在する。
【先行技術文献】
【特許文献】
【０００９】
【特許文献１】特開２００６−２０５０２８１号
【特許文献２】特開２００６−１４２１８３号
【特許文献３】ＷＯ２００８−１０５５２１号
【特許文献４】特開２００５−４８３５８号
【特許文献５】特開平６−１４６３３７号
【発明の概要】
【発明が解決しようとする課題】
【００１０】
本発明は、従前の河川等の底面に堆積固着したヘドロの浚渫に於ける上述の如き問題、即ち、河川等の底面に堆積固着したヘドロを撹拌により拡散させ、その後これに凝集剤を撹拌混合して凝集物（フロック）を回収する方式や、吸引ポンプや掘削機等を備えた浚渫船を用いる方式のヘドロ浚渫工法に於いては、掘削掬取り掘削吸引時に大量のヘドロの巻き上りを生じ、水質の悪化や臭気等による河川周辺の環境汚染を引き起すという問題を解決し、ヘドロ浚渫時に於ける前記環境汚染等の発生を、略完全に防止できるようにしたヘドロ浚渫工法を提供することを発明の主目的とするものである。
【課題を解決するための手段】
【００１１】
請求項１の発明は、ヘドロ層が堆積する区域の上方より水内へ、上方開口が上蓋により開閉されると共に下方を開口とした掘削ケーシングを沈めてその下端部をヘドロ層内へ貫入させ、次に、掘削ケーシング内のヘドロ層を掘削して水中に分離分散させると共に、これに生分解性の凝集用薬剤を混合撹拌することにより掘削分離したヘドロを凝集させ、当該ヘドロ凝集物を掘削ケーシング内から外部へ搬出したあと、前記掘削ケーシングを隣接する区域上へ移動させるようにしたことを発明の基本構成とするものである。
【００１２】
請求項２の発明は、請求項１の発明に於いて、掘削ケーシングの外方に機械室を付設し、当該機械室内に圧力水供給ポンプと凝集用薬剤タンクとポンプ加圧水内へ凝集用薬剤を混入するエジェクタ式混合器とを設けると共に、掘削ケーシングの胴部下方に圧力水噴射ノズルを設け、凝集用薬剤を混入した圧力水を前記圧力水噴射ノズルから掘削ケーシング内のヘドロ層内へ噴出することにより、ヘドロ層の掘削分離及び分離分散したヘドロと凝集用薬剤の撹拌混合を行うようにしたものである。
【００１３】
請求項３の発明は、請求項１又は請求項２の発明に於いて、凝集用薬剤を、γ−ポリグルタミン酸を主体とする生分解性凝集剤とすると共に、掘削ケーシングの内容積１ｍ３に対して５〜１０００ｇｒの凝集剤を撹拌混合するようにしたものである。
【００１４】
請求項４の発明は、請求項１又は請求項２の発明に於いて、凝集用薬剤を、γ−ポリグルタミン酸を主体とする生分解性の磁性凝集剤とすると共に、掘削ケーシングの内容積１ｍ３に対して５〜１０００ｇｒの凝集剤を撹拌混合するようにしたものである。
【００１５】
請求項５の発明は、請求項１又は請求項２の発明に於いて、凝集せしめたヘドロ凝集物を、掘削ケーシング内に配設したスクリューコンベア又は吸引ポンプに連結した吸引ホースを介して掘削ケーシング外へ搬出するようにしたものである。
【００１６】
請求項６の発明は、請求項１の発明に於いて、掘削ケーシング内のヘドロ層を、掘削ケーシング内に配設したヘドロ掘削機により掘削分離するようにしたものである。
【００１７】
請求項７の発明は、請求項１又は請求項２の発明に於いて、凝集用薬剤を磁性凝集剤とすると共に、凝集せしめたヘドロ凝集物を掘削ケーシング内に配設したスクリューコンベア又は磁性付与型スクリューコンベアにより掘削ケーシング外へ搬出するようにしたものである。
【発明の効果】
【００１８】
本発明では、河川等のヘドロ層が堆積する区域の上方より水内へ、上方開口が上蓋により開閉されると共に下方を開口とした掘削ケーシングを沈めてその下端部をヘドロ層内へ貫入させ、次に、掘削ケーシング内のヘドロ層を掘削して水中に分離分散させると共に、生分解性の凝集用薬剤を混合撹拌することにより掘削分離したヘドロを凝集させ、更に、当該へドロ凝集物を掘削ケーシング内から外部へ搬出したあと、前記掘削ケーシングを隣接する区域上へ移動させるようにしている。
【００１９】
そのため、河床等に堆積固着したヘドロ層を掘削した際の掘削分散したヘドロの巻き上りが、掘削ケーシング内に限定されることになり、河川の他の領域を汚染することがない。
【００２０】
また、掘削ケーシングの内部に設けた噴射ノズルから高圧水を噴射することにより、へドロ層の掘削を行う構成とした場合には、大掛りな掘削機を用いることなしに、単に高圧水ポンプを設けるだけでヘドロ層の掘削分離を効率よく行うことが出来、ヘドロ浚渫工事費の大幅な削減が可能となる。
【００２１】
更に、生分解性の凝集剤を掘削分離したヘドロ内へ撹拌混合してヘドロ凝集物とし、このヘドロ凝集物を外部へ搬出するようにしているため、スクリューコンベアやポンプ吸引によりヘドロ凝集物の搬出を高能率で行うことができると共に、凝集剤そのものが生分解性であって無害なものであるため、安全性の高いヘドロ浚渫が可能となる。
【００２２】
加えて、生分解性凝集剤に磁性凝集剤（ＭＧＡ）を使用した場合には、スクリューコンベア等によるヘドロ凝集物の回収及び搬出をより能率よく行える。
【図面の簡単な説明】
【００２３】
【図１】本発明による区域閉鎖式ヘドロ浚渫工法の一実施形態に係る工程説明図である。
【図２】掘削ケーシングの設定状況の一例を示す斜面図である。
【図３】図３の（ａ）は掘削ケーシングの一例を示す平面概要図であり、（ｂ）は図３に於けるイ−イ視断面概要図である。
【図４】掘削ケーシングに付設した機器室の平面概要図である。
【図５】従前の凝集剤を用いる水中凝集物の回収方法の説明図である。
【図６】従前の吸引方式によるヘドロ浚渫工法の説明図である。
【図７】従前の掘削方式によるヘドロ浚渫工法の説明図である。
【発明を実施するための形態】
【００２４】
以下、図面に基づいて本発明の一実施形態を説明する。
図１は、本発明の施工工程説明図であり、図１に於いて、１は掘削ケーシング設置工程、２はヘドロ掘削工程、３は凝集剤混入撹拌工程、４はヘドロ凝集工程、５はヘドロ凝集物搬出工程、６は掘削ケーシング移動工程であり、上記各工程から本工法発明が構成されている。
【００２５】
前記掘削ケーシング設置工程１は、後述する金属製の掘削ケーシングを河川や湖沼等の所定箇所へ沈める工程であり、当該掘削ケーシングを沈めることにより、ヘドロの掘削浚渫を行う区域が他の領域から完全に分離され，掘削ケーシングの内部が閉鎖区域とされることになる。
【００２６】
当該掘削ケーシング設置工程１では、浚渫対象に応じて適宜の機器・装置、例えば台船Ａや、河岸に沿って走行するクレーン等が使用される。
図２は、クレーン船７を利用して、河川の一部分を利用する形式の競艇場のヘドロ浚渫に際して、掘削ケーシング８を設置する場合を示すものであり、深さ５〜１０ｍ程度の河川の底面へ高さＨ＝３ｍ、横幅Ｗ＝１０ｍ、縦幅Ｌ＝１０ｍの金属製掘削ケーシング８を沈めるようにしている。
【００２７】
尚、掘削ケーシング７の吊下げ用機器等は如何なるものであってもよく、施工場所によってはクレーン等の使用も可能である。また、図２に於いて、９は川底等に堆積固着したヘドロ層であり、ここでは厚さ２〜３ｍに堆積したヘドロ層の除去を行うようにしている。
【００２８】
前記へドロ掘削工程２では、沈めた掘削ケーシング８の内部に位置する河川等の底面に堆積固着したヘドロ層９内へ、河川水を高圧で噴射することにより、前記ヘドロ層９の掘削分離と撹拌が行われる。
【００２９】
尚、図１のへドロ掘削工程２に於いては、後述する掘削ケーシング８に設けた水中ポンプを用いて、噴射ノズルから高圧水を噴出することによりヘドロ層９を掘削分離するようにしているが、掘削ケーシング８内へ外部から掘削機（図示省略）を吊下げ配置して、当該掘削機を用いて機械的にヘドロ層９を掘削するようにしてもよいことは勿論である。
【００３０】
前記凝集剤混入撹拌工程３は、掘削工程２により掘削分離されて掘削ケーシング８内に浮遊するヘドロ内へ凝集剤を混入し撹拌混合する工程であり、本実施形態に於いては、ヘドロ層９の掘削のために噴射するポンプ吸込み水内へ凝集剤を混入し、当該凝集剤の混入水をノズルから高圧力噴射することにより、へドロ層９の掘削と掘削したヘドロと水との撹拌混合を同時に行うようにしている。
【００３１】
尚、ヘドロ掘削工程３が完了してから、別途に撹拌混合機等を掘削ケーシング８内へ吊下げ配備し、凝集剤を混入し乍ら撹拌混合機によってこれを撹拌することも勿論可能である。
上記掘削分離されたヘドロは、掘削ケーシング８内の水中に浮遊した状態となり、掘削ケーシング８の外部へ漏出することは殆ど起らない。
【００３２】
掘削ケーシング８内へ混入される凝集剤としては、生分解性を有するγ−ポリグルタミン酸を主体とする凝集剤（商品名ＰＧα２１Ｃａ・株式会社日本ポリグル製）を使用し、被処理水量１ｔｏｎに対して５〜１０００ｇ（望ましくは１０〜１００ｇｒ）の量の凝集剤を混入する。
【００３３】
また、後述するヘドロ凝集物の搬出を容易にするために、凝集剤として、γ−ポリグルタミン酸を主体とし、これに磁性材製微粒体を混合若しくは結合させることにより形成した磁性凝集剤（商品名ＭＧＡ・株式会社ポリグル製）を使用するようにしてもよい。尚、被処理水への投入量は上記凝集剤（ＰＧα２１Ｃａ）の場合と略同じである。
【００３４】
尚、上記凝集剤ＰＧα２１Ｃａや磁性凝集剤ＭＧＡは、特開２００６−１４２１８３号、特開２００６−２０５２８１号及びＷＯ２００８−１０５５２１号等により既に公知であるため、ここではその詳細な説明は省略する。
【００３５】
前記凝集剤の混入撹拌工程３が完了すると、ヘドロ凝集工程４に入り、掘削ケーシング８内に於いて掘削分離されたヘドロと凝集剤と水の混合体を２０〜６０分間静置状態に置く。これにより、掘削分離された細かなヘドロが凝集剤を介して相互に結合、凝集し、比較的大きなヘドロ凝集物（フロック）となって掘削ケーシング８の下方部の水中に浮遊集積した状態となる。
【００３６】
上記凝集工程４が完了すると、ヘドロ凝集物の搬出工程５に於いて、掘削ケーシング８の下方部水中に集積したヘドロ凝集物を掘削ケーシング８の外部へ搬出する。
【００３７】
搬出の方法としては、掘削ケーシング８内へ外部よりスクリューコンベアを挿入し、スクリューコンベアを介してヘドロ凝集物を掻き上げる方法や、吸引ホースの先端を掘削ケーシング８の下方部へ挿入して真空ポンプによりヘドロ凝集物を吸引排出する方法、前記図５に示したような構造の回収具Ｄを掘削ケーシング８内へ挿入し、回収具Ｄの薄板Ｄ１の外表面にヘドロ凝集物を固着させて回収する方法等が用いられる。
尚、本実施形態に於いては、ヘドロ凝集物を真空ポンプにより吸引排出するようにしている。
【００３８】
また、磁性体凝集剤ＭＧＡを使用した場合には、ヘドロ凝集物自体が磁性を持つため、凝集性能が著しく向上すると共にスクリューコンベア等のスクリュー体を磁化することにより、へドロ凝集物のみを極めて効率よく捕集して掻き上げ排出することができ、効率のよいヘドロ凝集物の排出が行える。
【００３９】
上記へドロ凝集物の搬出が終われば、掘削ケーシング移動工程６に於いて、掘削ケーシング８を予め定めた隣接する区域上へ移動させ、当該新たな分割区域内のヘドロ浚渫作業を開始する。
尚、掘削ケーシング８の移動方法は如何なる方法であってもよく、本実施形態に於いては、ケーシング８を、その下端面が川底のヘドロ層の上方に位置するまで引き上げ、その後、横方向へケーシング８を移動させ、これを着床させるようにしている。
【００４０】
また、ヘドロ堆積層が比較的薄い場合には、掘削ケーシング８の一側のみを若干上方へ持ち上げし、この状態で、持ち上げした側を牽引してケーシング８を所定位置へ移動させる。この方法により、ヘドロ層の巻き上げを生ずることなしに、掘削ケーシング８の横方向移動を行うことが出来る。
【００４１】
図３は、本発明の実施に使用する掘削ケーシング８を示すものであり、（ａ）は上蓋を開放した状態の平面図、（ｂ）は、（ａ）のイ−イ視断面図である。また、図４は、掘削ケーシング８に付設した機械室１０の平面概要図である。
【００４２】
図３及び図４を参照して、掘削ケーシング８は鋼板製であり、四角筒形の胴部（高さＨ＝３〜１０ｍ、横幅Ｗ＝５〜１５ｍ、縦幅Ｌ＝５〜１５ｍ）１１と、胴部１１の上端部に開閉自在に軸支した上蓋１２とから形成されており、胴部１１の底面１３は開放されている。
【００４３】
即ち、胴部１１の上面側は開口１４とされており、対向する側壁上端に支軸１７により軸支した上蓋１２により、上方開口１４は開閉される。
尚、本実施形態では、図３の（ｂ）に示すように上蓋１２を二つ割型に形成しているが、１枚の上蓋１２とすることも可能である。
【００４４】
胴部１１を形成する側壁１１ａ、１１ｂの上端両側には，合計４個のフックを兼ねたスプリング受け１５、１５が設けられており、このスプリング受け１５と上蓋１２、１２の間にスプリング１６、１６が介設されている。そして、このスプリング１６、１６により、上蓋１２、１２に閉鎖方向の押圧力が加えられることになる。
【００４５】
また、掘削ケーシング８を形成する胴部１１の一側下方の内側には、圧力水噴射ノズル１８、圧力水供給等１９、ポンプ吸水管２０等が設けられており、ポンプ吸水管２０の上端は胴部１１の上方部に位置している。
【００４６】
更に、掘削ケーシング８を形成する胴部１１の一側下方の側部には、機械室２１が気密に設けられており、ここに、図４に示すように圧力水供給ポンプ２２、凝集剤タンク２３、エジェクタ式混合器２４、制御盤２５等の機器類が収納されている。
【００４７】
前記図２に示した様に、クレーン等で吊下げ支持された掘削ケーシング８は、河川等の予め定めた区域の上方へ移動され、水内へ下降される。ケーシング胴部１１の下面（底面）は開放されているため、ケーシング８は順次自重によって水没し、且つ水圧によって、胴部１１の下降中は上蓋１２、１２が開放状態となる。
【００４８】
ケーシング胴部１１の下端が川底部へ到着し、その自重によって下端面１１ｃがヘドロ層９内へ貫入して川床面等へ着床すると、前記下降時に開放されていた蓋体１２、１２がスプリング１６、１６の弾性力及び蓋体１２自体の自重により垂直状態から水平状態に戻され、胴部１１の上方開口１４が上蓋１２より閉鎖される。
【００４９】
その後は、前記図１に示した各工程に従って、ヘドロの浚渫が行われる。
尚、掘削ケーシング８内へ、外部からヘドロ掘削機やヘドロ搬出用スクリューコンベア等を挿入する場合には、上蓋１２が必要に応じて開閉されることは勿論である。
【産業上の利用可能性】
【００５０】
本発明は河川や湖沼、池のみならず、海洋等のヘドロ浚渫にも適用することができるものである。
【符号の説明】
【００５１】
Ａ  台船
Ｂ  凝集用薬剤
１  掘削ケーシング設置工程
２  ヘドロ掘削工程
３  凝集剤混入撹拌工程
４  ヘドロ凝集工程
５  ヘドロ凝集物搬出工程
６  掘削ケーシング移動工程
７  クレーン船
８  掘削ケーシング
９  ヘドロ層
１０  機械室
１１  胴部
１１ａ、１１ａ  側壁
１２  上蓋
１３  底面開口
１４  上方開口
１５  スプリング受け
１６  スプリング
１７  支軸
１８  圧力水噴射ノズル
１９  圧力水供給管
２０  吸水管
２１  機械室
２２  圧力水供給ポンプ
２３  凝集剤タンク
２４  エジェクタ式混合器
２５  制御盤
【図１】
2015203210.tif 000003
【図２】
2015203210.tif 000004
【図３】
2015203210.tif 000005
【図４】
2015203210.tif 000006
【図５】
2015203210.tif 000007
【図６】
2015203210.tif 000008
【図７】
2015203210.tif 000009
【手続補正書】
【提出日】平成27年6月22日(2015.6.22)
【手続補正１】
【補正対象書類名】特許請求の範囲
【補正対象項目名】全文
【補正方法】変更
【補正の内容】
【特許請求の範囲】
【請求項１】
ヘドロ層が堆積する区域の上方より水内へ、上方開口が上蓋により開閉されると共に下方を開口とした掘削ケーシングを沈めてその下端部をヘドロ層内へ貫入させ、次に、掘削ケーシング内のヘドロ層を掘削して水中に分散させると共に生分解性の凝集用薬剤を攪拌混合して前記掘削分離したヘドロを凝集させ、更に、当該ヘドロ凝集物を掘削ケーシング内から外部へ搬出したあと、前記掘削ケーシングを隣接する区域上へ移動するようにした区域閉鎖式ヘドロ浚渫工法に於て、前記掘削ケーシングの外方に機械室を付設し、当該機械室に圧力水供給ポンプと凝集用薬剤タンクとポンプ加圧水内へ凝集用薬剤を混入するエジェクタ式混合器とを設けると共に、掘削ケーシングの胴部下方に圧力水噴射ノズルを設け、凝集用薬剤を混入した圧力水を前記圧力水噴射ノズルから掘削ケーシング内のヘドロ層内へ噴出することにより、ヘドロ層の掘削分離及び分離分散したヘドロと凝集用薬剤の撹拌混合を行うようにしたことを特徴とする閉鎖式ヘドロ浚渫工法。
【請求項２】
凝集用薬剤を、γ−ポリグルタミン酸を主体とする生分解性凝集剤とすると共に、掘削ケーシングの内容積１ｍ３に対して５〜１０００ｇの凝集剤を撹拌混合するようにした請求項１に記載の区域閉鎖式ヘドロ浚渫工法。
【請求項３】
凝集用薬剤を、γ−ポリグルタミン酸を主体とする生分解性の磁性凝集剤とすると共に、掘削ケーシングの内容積１ｍ３に対して５〜１０００ｇの凝集剤を撹拌混合するようにした請求項１に記載の区域閉鎖式ヘドロ浚渫工法。
【請求項４】
凝集したヘドロ凝集物を、掘削ケーシング内に配設したスクリューコンベア又は吸引ポンプに連結した吸引ホースを介して掘削ケーシング外へ搬出するようにした請求項１に記載の区域閉鎖式ヘドロ浚渫工法。
【請求項５】
掘削ケーシング内のヘドロ層を、掘削ケーシング内に配設したヘドロ掘削機により掘削分離するようにした請求項１に記載の区域閉鎖式ヘドロ浚渫工法。
【請求項６】
凝集用薬剤を磁性凝集剤とすると共に、凝集したヘドロ凝集物を、掘削ケーシング内に配設したスクリューコンベア又は磁性付与型スクリューコンベアにより掘削ケーシング外へ搬出するようにした請求項１に記載の区域閉鎖式ヘドロ浚渫工法。
【手続補正２】
【補正対象書類名】明細書
【補正対象項目名】００１１
【補正方法】変更
【補正の内容】
【００１１】
請求項１の発明は、ヘドロ層が堆積する区域の上方より水内へ、上方開口が上蓋により開閉されると共に下方を開口とした掘削ケーシングを沈めてその下端部をヘドロ層内へ貫入させ、次に、掘削ケーシング内のヘドロ層を掘削して水中に分散させると共に生分解性の凝集用薬剤を攪拌混合して前記掘削分離したヘドロを凝集させ、更に、当該ヘドロ凝集物を掘削ケーシング内から外部へ搬出したあと、前記掘削ケーシングを隣接する区域上へ移動するようにした区域閉鎖式ヘドロ浚渫工法に於て、前記掘削ケーシングの外方に機械室を付設し、当該機械室に圧力水供給ポンプと凝集用薬剤タンクとポンプ加圧水内へ凝集用薬剤を混入するエジェクタ式混合器とを設けると共に、掘削ケーシングの胴部下方に圧力水噴射ノズルを設け、凝集用薬剤を混入した圧力水を前記圧力水噴射ノズルから掘削ケーシング内のヘドロ層内へ噴出することにより、ヘドロ層の掘削分離及び分離分散したヘドロと凝集用薬剤の撹拌混合を行うようにしたことを発明の基本構成とするものである。
【手続補正３】
【補正対象書類名】明細書
【補正対象項目名】００１２
【補正方法】変更
【補正の内容】
【００１２】
請求項２の発明は、請求項１の発明に於て、凝集用薬剤を、γ−ポリグルタミン酸を主体とする生分解性凝集剤とすると共に、掘削ケーシングの内容積１ｍ３に対して５〜１０００ｇの凝集剤を撹拌混合するようにしたものである。
【手続補正４】
【補正対象書類名】明細書
【補正対象項目名】００１３
【補正方法】変更
【補正の内容】
【００１３】
請求項３の発明は、請求項１の発明に於て、凝集用薬剤を、γ−ポリグルタミン酸を主体とする生分解性の磁性凝集剤とすると共に、掘削ケーシングの内容積１ｍ３に対して５〜１０００ｇの凝集剤を撹拌混合するようにしたものである。
【手続補正５】
【補正対象書類名】明細書
【補正対象項目名】００１４
【補正方法】変更
【補正の内容】
【００１４】
請求項４の発明は、請求項１の発明に於て、凝集したヘドロ凝集物を、掘削ケーシング内に配設したスクリューコンベア又は吸引ポンプに連結した吸引ホースを介して掘削ケーシング外へ搬出するようにしたものである。
【手続補正６】
【補正対象書類名】明細書
【補正対象項目名】００１５
【補正方法】変更
【補正の内容】
【００１５】
請求項５の発明は、請求項１の発明に於て、掘削ケーシング内のヘドロ層を、掘削ケーシング内に配設したヘドロ掘削機により掘削分離するようにしたものである。
【手続補正７】
【補正対象書類名】明細書
【補正対象項目名】００１６
【補正方法】変更
【補正の内容】
【００１６】
請求項６の発明は、請求項１の発明に於て、凝集用薬剤を磁性凝集剤とすると共に、凝集したヘドロ凝集物を、掘削ケーシング内に配設したスクリューコンベア又は磁性付与型スクリューコンベアにより掘削ケーシング外へ搬出するようにしたものである。
【手続補正８】
【補正対象書類名】明細書
【補正対象項目名】００１７
【補正方法】削除
【補正の内容】